(57)【特許請求の範囲】
【請求項１】
移動可能な引き戸を案内するガイド体を備えた引き戸案内装置であって、
前記引き戸に取り付けられるケース体と、
このケース体に軸を中心に回転可能に設けられ前記ガイド体に沿って移動する走行部と、
前記ケース体に設けられ前記引き戸の移動位置を検出する検出体とを有し、
この検出体は、前記引き戸の移動方向と同一方向に進退可能で前記ケース体から突出する検出部と、この検出部を進退可能に支持する検出体支持軸と、中央部に設けられた貫通孔を有しこの貫通孔に前記検出体支持軸が進退可能に支持される板状の作動体と、前記検出部を進出方向に付勢する弾性部材とを備え、
前記走行部は、前記作動体に係合する切り欠き係合部を有し、前記検出部が押動されることにより前記検出部が前記弾性部材の弾性力に抗して押動されて後退し、前記弾性部材に掛かる押動力にて前記作動体が押動されて後退して、前記軸を中心に回転して前記ガイド体に押し当てられる
ことを特徴とする引き戸案内装置。
【請求項２】
弾性部材は、コイル状のスプリングにて形成され、検出体支持軸に嵌合されている
ことを特徴とする請求項１記載の引き戸案内装置。
【請求項３】
走行部は、ローラと、このローラを回転可能に保持する保持部材とにて形成した
ことを特徴とする請求項１または２記載の引き戸案内装置。
【請求項４】
検出体は、ケース体に引き戸の移動方向に進退可能に設けられている
ことを特徴とする請求項１ないし３のいずれかに記載の引き戸案内装置。
【請求項５】
走行部は、ケース体に引き戸の厚み方向に位置調整可能に設けた
ことを特徴とする請求項１ないし４のいずれかに記載の引き戸案内装置。
【請求項６】
ガイド体に走行部を制動する制動部を設けた
ことを特徴とする請求項１ないし５のいずれかに記載の引き戸案内装置。
【発明の詳細な説明】
【０００１】
【発明の属する技術分野】
本発明は引き戸を案内する引き戸案内装置に関する。
【０００２】
【従来の技術】
従来、この種の引き戸案内装置としては、例えば、実公平３−１４５５１号公報に記載されているように、引き戸の框部の上部にレールを摺動する摺動体を前記レールに対して進退可能に取付け、この摺動体にレールに接触する車輪を回転可能に支持し、この摺動体を前記車輪がレールに接触する方向にスプリングにて付勢した構造が採られている。
【０００３】
そして、この従来の引き戸案内装置は、引き戸の開閉移動に際して、引き戸の框部の上部に設けた摺動体の車輪がレールに接触して回転されながら摺動体がレールに案内されるようになっている。この摺動体がレールに案内されながら移動するときに、車輪がレールに接触するように常時スプリングによって摺動体は付勢されていることにより、引き戸がレールから外れることなく円滑に走行ができるとともにレールの取付け位置の微妙なずれに対応できるようになっている。
【０００４】
【発明が解決しようとする課題】
しかしながら、前記公報に記載された引き戸案内装置では、引き戸を閉じるときに、引き戸が例えば戸枠に接触したときにその衝撃で引き戸が跳ね返り、引き戸と戸枠との間に隙間が生じる問題があった。
【０００５】
そこで、引き戸が跳ね返ることがないように、スプリングのばね力を大きくして車輪とレールとの接触圧を大きくすることが考えられるが、このスプリングの弾力を大きくすると、摺動体はスプリングにて常時付勢されているため、引き戸の開閉時に大きな操作力を必要とする問題がある。
【０００６】
本発明は、このような問題点に鑑みてなされたもので、引き戸の開閉時には走行部がガイド体に案内され、開閉面に沿って移動しながら所定位置で跳ね返ることがないように移動を制動されて所定位置に引き戸が保持される引き戸案内装置を提供するものである。
【０００７】
【課題を解決するための手段】
請求項１記載の発明の引き戸案内装置は、移動可能な引き戸を案内するガイド体を備えた引き戸案内装置であって、前記引き戸に取り付けられるケース体と、このケース体に軸を中心に回転可能に設けられ前記ガイド体に沿って移動する走行部と、前記ケース体に設けられ前記引き戸の移動位置を検出する検出体とを有し、この検出体は、前記引き戸の移動方向と同一方向に進退可能で前記ケース体から突出する検出部と、この検出部を進退可能に支持する検出体支持軸と、中央部に設けられた貫通孔を有しこの貫通孔に前記検出体支持軸が進退可能に支持される板状の作動体と、前記検出部を進出方向に付勢する弾性部材とを備え、前記走行部は、前記作動体に係合する切り欠き係合部を有し、前記検出部が押動されることにより前記検出部が前記弾性部材の弾性力に抗して押動されて後退し、前記弾性部材に掛かる押動力にて前記作動体が押動されて後退して、前記軸を中心に回転して前記ガイド体に押し当てられるものである。
【０００８】
そして、引き戸を開閉するときには、引き戸に取り付けたケース体に設けられている走行部がレールなどのガイド体に案内されて開閉面に沿って移動され、引き戸が戸枠などに所定位置に達したことを検出体が検出して押動されると、この検出体の被押動動作に連動して走行部が軸を中心に回転してガイド体に押し当てられて制動が掛かり、引き戸は跳ね返ることなく所定位置に保持され、例えば引き戸と戸枠との間に隙間が生じることがない。
【０００９】
このように、引き戸の開閉移動時には走行部はガイド体に押し当てられることなく引き戸は軽い操作力で円滑に開閉され、引き戸が所定位置に移動したことを検出体が検出して被押動動作すると、走行部はガイド体に押し当てられて制動され、引き戸は跳ね返ることなく所定位置に保持される。
【００１０】
請求項２記載の発明の引き戸案内装置は、請求項１記載の引き戸案内装置において、弾性部材は、コイル状のスプリングにて形成され、検出体支持軸に嵌合されているものである。
【００１１】
請求項３記載の発明の引き戸案内装置は、請求項１または２記載の引き戸案内装置において、走行部は、ローラと、このローラを回転可能に保持する保持部材とにて形成したものである。
【００１２】
そして、引き戸の開閉移動時にはローラがガイド体に接触していてもガイド体との接触で回転され、引き戸は円滑に開閉移動する。
【００１３】
請求項４記載の発明の引き戸案内装置は、請求項１ないし３のいずれかに記載の引き戸案内装置において、検出体はケース体に引き戸の移動方向に進退可能に設けられているものである。
【００１４】
そして、検出体が引き戸の移動方向に進退可能に設けられているため、例えば、引き戸が開閉移動で戸枠などの開閉位置を検出体が確実に検出し、走行部がガイド体に押し当てられて制動され、引き戸は跳ね返ることなく所定位置に保持される。
【００１５】
請求項５記載の発明の引き戸案内装置は、請求項１ないし４のいずれかに記載の引き戸案内装置において、走行部はケース体に引き戸の厚み方向に位置調整可能に設けたものである。
【００１６】
そして、走行部を引き戸の厚み方向に調整して走行部とガイド体との位置合わせが容易にでき、引き戸は走行部がガイド体に案内されて円滑に開閉できる。
【００１７】
請求項６記載の発明の引き戸案内装置は、請求項１ないし５のいずれかに記載の引き戸案内装置において、ガイド体に走行部を制動する制動部を設けたものである。
【００１８】
そして、走行部が検出体により引き戸が制動位置に位置したことを検出して検出体の被押動動作に連動して走行部がガイド体に対して押し当てられたときに、例えば走行部が凹部などの制動部に係合することより所定位置に保持され、確実に引き戸を制動でき、引き戸の停止位置を確実にすることができる。
【００１９】
【発明の実施の形態】
次に、本発明の引き戸案内装置の一実施の形態を図１ないし図４に基づいて説明する。
【００２０】
図１および図２において、引き戸などの開閉体１には、框部の下面に造営物の開閉面に沿って配設した図示しないレールなどのガイド体に沿って移動する戸車などの走行手段が設けられ、この開閉体１の下部は移動可能に造営物に支持されている。
【００２１】
引き戸案内装置２は、移動可能の前記開閉体１を案内するレールなどのガイド体３とこの開閉体１に取り付けられたケース体４とを備え、このガイド体３は開閉面に沿って配設されている。このガイド体３は合成樹脂または金属などにて形成され、例えば前記造営物の天板５の下面に露出するように埋め込み固定されている。
【００２２】
そして、このガイド体３は、天板５から露出する下面には幅方向中央部に向って上方に傾斜した案内面６が形成され、このガイド体３の幅方向の両側には前記天板５の下面に係合する係合縁７がそれぞれ形成されている。
【００２３】
また、前記ケース体４は開閉体１の框部の上面に形成した切り込み凹部８に埋め込み固定されている。この切り込み凹部８は前記開閉体１の框部の上面とは一方の端面に開口され、この切り込み凹部８の内底部は凹弧状面に形成されている。また、このケース体４には上面に開口された走行体収納部９が形成され、下面は前記開閉体１の切り込み凹部８の内底面の形状に合わせて凸弧状に形成されている。
【００２４】
このケース体４の走行体収納部９には走行部10を形成するローラ11とこのローラ11を回転可能に保持する保持部材12とが収納され、この保持部材12は一方側の端面部13とこの端面部13から平行状に折り曲げ形成した側面部14とを有し、上下面を開口するとともに他方の端面を開口した平面略コ字状に形成され、この両側面部14間にはこの保持部材12の開放された端面側に位置して軸15にて前記ローラ11が回転自在に軸支されている。また、この保持部材12は前記ケース体４の走行体収納部９内に配設され、この保持部材12は前記ケース体４内に前記ローラ11の軸15よりも一方の端面部13側に位置して軸17にて回動可能でかつ軸方向に移動可能に支持されている。
【００２５】
そして、このローラ11は前記ガイド体３の案内面６，６に案内されながらこのガイド体３に沿って回転移動されるようになっている。
【００２６】
さらに、この保持部材12の端面部13には係合突部18が突設され、この係合突部18に係合する係合溝19を内面側に形成した位置調整摘み体20が図４に示すように、前記ケース体４の開閉体１の端面から露出する側の端面に回動可能に取り付けられている。この位置調整摘み体20の外周面には複数箇所にローレット状の歯部20aが形成され、外面にはドライバーなどを係合する係合凹部21が方向を示す矢印形状に形成され、内面側には前記係合溝19が形成され、この係合溝19の両側縁は外周面側から中心に向って拡開状に広がった傾斜縁にて形成されている。
【００２７】
また、前記ケース体４には、前記開閉体１から露出される一方の端面には前記位置調整摘み体20を回動可能に取り付ける取り付け孔23が外面から前記走行体収納部９に貫通して形成され、この取り付け孔23の内周面には前記歯部20aに係脱されるローレット状の歯部22が形成され、この取り付け孔23の歯部22と位置調整摘み体20の歯部20aとの係脱により位置調整摘み体20は回動可能に取り付け孔23に保持される。
【００２８】
そして、前記位置調整摘み体20を回動させることにより、この位置調整摘み体20の内面側に形成した係合溝19に係合されている保持部材12の係合突部18が軸17の軸方向に押動されることにより、前記走行部10を形成する保持部材12とローラ11とは前記開閉体１の厚み方向に位置調整が可能となってガイド体３との位置合わせができるようになっている。
【００２９】
また、前記ケース体４の走行体収納部９の下部には、検出体配設部24が形成され、この検出体配設部24には、前記位置調整摘み体20を回動可能に取り付ける取り付け孔23の下方に位置して検出体25を進退させる支持孔26が外面から検出体配設部24に向って前記開閉体１の移動方向と同一方向に貫通形成され、この支持孔26の軸線上に位置して前記検出体配設部24に軸支部27が形成され、この軸支部27は上面が開放されている。この軸支部27の上面開放部を覆う軸支突部29を形成した軸支片30がケース体４に取り付けられている。この軸支片30は前記ケース体４の他方の端面に開口した挿通孔31から挿通され、この軸支片30には前記挿通孔31の外面側に係合する突部32とこのケース体４の挿通孔31の内面側に係合する弾性爪片33とが形成され、この軸支片30をケース体４の挿通孔31に挿通することにより、挿通孔31の外面側に鍔状の突部32が係合されるとともに、内面側に弾性爪片33が係合して軸支片30はケース体４に保持され、この軸支片30の軸支突部29が前記軸支部27の上面開放部を覆うようになっている。
【００３０】
前記検出体25は前記支持孔26に前記開閉体１の移動方向と同一方向に進退可能に挿通される検出部35と、この検出部35を進退可能に支持する検出体支持軸36と、この検出体支持軸36に進退可能に支持される作動体37と、前記検出部35を進出方向に付勢するコイル状のスプリングにて形成した弾性部材38とにて構成されている。
【００３１】
そして、前記検出部35は内面側に前記検出体支持軸36に進退可能に嵌挿する嵌挿孔39が形成され、また、この検出部35の内面側の外周部には前記支持孔26の内端側周囲に係合する係合鍔部40が設けられ、この検出部35は前記支持孔26の内端側周囲に係合して外方への抜け外れが阻止されるようになっている。
【００３２】
また、前記検出体支持軸36の前端側は支持孔26に支持されている検出部35の嵌挿孔39に支持されるとともに後端側の下部は前記軸支部27上に保持され、さらに、この検出体支持軸36の上部は前記軸支片30の軸支突部29にて保持されるようになっている。
【００３３】
また、前記作動体37は板状に形成され、中央部に形成した貫通孔41に前記検出体支持軸36を挿通することによりこの検出体支持軸36に沿って進退可能に支持されている。この作動体37の上部は前記保持部材12に形成した切り欠き係合部43に係合され、この作動体37の進退により前記保持部材12は軸17を中心として回動され、この作動体37が後退方向に移動されることにより、保持部材12が回動してローラ11がケース体４の上部より突出して前記ガイド体３により押し当てられるようになっている。
【００３４】
また、前記検出部35を進出方向に付勢するコイル状のスプリングにて形成した弾性部材38は、前記検出体支持軸36に前記検出部35と作動体37との間に位置して嵌合され、この弾性部材38によって走行部10の保持部材12とローラ11とが連動されるようになっている。
【００３５】
なお、前記ケース体４の検出体配設部24には、支持孔26と軸支部27との中間に位置して軸支台部47が形成され、この軸支台部47に前記検出体支持軸36の中間部が支持されるとともにこの軸支台部47によって作動体37の後退方向への過動が阻止されるようになっている。
【００３６】
さらに、前記ケース体４の下部には一方の端面から他方の端面に貫通した固定孔48が形成され、この固定孔48にケース体４の一方の端面から挿通した固定ねじの先端を前記開閉体１に螺合してこのケース体４をこの開閉体１に固定する。
【００３７】
次に、前記実施の形態のケース体４に走行部10と検出体25とを組み込む工程について説明する。
【００３８】
検出部35の嵌挿孔39に検出体支持軸36の先端を嵌合し、次いで、検出体支持軸36に弾性部材38を嵌合するとともに作動体37を嵌合し、この状態でケース体４の上面開口部から検出体支持軸36を検出体配設部24に挿入し、検出部35をケース体４の支持孔26に挿通し、この検出部35の係合鍔部40を支持孔26の内端側の周縁に係合し、検出体支持軸36の内端部を軸支部27上に支持するとともに中間部を軸支台部47上に支持する。この状態で検出部35は弾性部材38による付勢力でケース体４の支持孔26から突出した位置に保持されている。
【００３９】
次いで、軸支片30をケース体４の挿通孔31に挿通して挿通孔31の外面側に突部32を係合するとともに、内面側に弾性爪片33を係合して軸支片30の軸支突部29にて前記軸支部27の上面開放部を覆って検出体支持軸36上部を支持する。
【００４０】
次に、保持部材12にローラ11を軸15にて回転可能に軸支し、この保持部材12の切り欠き係合部43に作動体37の上部を係合しながらこの保持部材12を軸17にて回動可能に支持する。
【００４１】
さらに、ケース体４の取り付け孔23に位置調整摘み体20を嵌挿して回動可能に取り付け、この位置調整摘み体20の内面側に形成した係合溝19に保持部材12の係合突部18を係合し、この位置調整摘み体20の回動で軸17に沿って保持部材12は位置が調整されるようになっている。
【００４２】
そして、このケース体４を開閉体１の框部の上部に形成した切り込み凹部８に嵌合してケース体４の一方の端面と上面開口部とを開閉体１の一方の端面と上面との各面に同一面で露出させ、この状態でケース体４の固定孔48から挿通した固定ねじにてケース体４を前記開閉体１に固着する。この状態で保持部材12に軸支されたローラ11は開閉体１の上面から突出されている。
【００４３】
次に、実施の形態の作用を説明する。
【００４４】
まず、開閉体１の上部に突出している走行部10のローラ11をガイド体３の案内面６，６に係合する。次いで、開閉体１は下部の戸車を造営物の床面のガイド体に係合して移動可能に支持する。このとき、ガイド体３と走行部10のローラ11との位置合わせは、位置調整摘み体20の内面側に形成した係合溝19に保持部材12の係合突部18を係合し、この位置調整摘み体20の係合凹部21にドライバーなどを係合して位置調整摘み体20を回動する。
【００４５】
この位置調整摘み体20の係合溝19に係合されている保持部材12の係合突部18が図４(a)に示す位置から図４(b)に示す位置に向って軸17の軸方向に押動されることにより、前記走行部10を形成する保持部材12が軸17に沿って位置が調整され、ローラ11は前記開閉体１の厚み方向に位置調整されることによりガイド体３との位置合わせができる。そして、位置調整摘み体20は歯部20aが取り付け孔23の歯部22との係合により調節位置に保持される。
【００４６】
この状態で、開閉体１を開閉するときには、開閉体１に取り付けたケース体４に設けられている走行部10のローラ11がガイド体３に案内されて開閉面に沿って移動され、開閉体１が戸枠などに所定位置に達したときには、図３に示すように、検出体25の検出部35が戸枠50に当ったことを検出して、検出部35が押動されると、この検出部35は弾性部材38の弾性力に抗して被押動後退し、弾性部材38に掛かる押動力で作動体37が押圧され、作動体37は後退して保持部材12を軸17を中心として回動させることにより、走行部10のローラ11は検出部35の被押動動作に連動してガイド体３に押し当てられて制動が掛かり、開閉体１は跳ね返ることなく所定位置に保持され、例えば開閉体１と戸枠50との間に隙間が生じることがない。
【００４７】
また、検出体25の検出部35と走行部10の保持部材12とは弾性部材38を介して連動されるため、開閉体１の寸法精度及び開閉体１とガイド体３との間の寸法精度の誤差を弾性部材38の弾性変形量で吸収でき、開閉体１の組込みが容易にできる。
【００４８】
また、開閉体１の開閉移動時にはローラ11がガイド体３に接触していてもガイド体３との接触で回転され、開閉体１は円滑に開閉移動する。
【００４９】
さらに、検出体25の検出部35が開閉体１の移動方向に進退可能に設けられているため、例えば、開閉体１の開閉移動で戸枠50などの開閉位置を検出部35が確実に検出し、走行部10がガイド体３に押し当てられて制動され、開閉体１は跳ね返ることなく所定位置に保持される。
【００５０】
また、開閉体１をローラ11とガイド体３との接触圧に抗して戸枠50から離反する方向に移動させる開閉操作をして、開閉体１が戸枠50から離反すると、検出体25の検出部35は弾性部材38の付勢力で進出復帰し、弾性部材38の付勢力が低下し、作動体37は走行部10のローラ11と保持部材12との重量により復帰方向に保持部材12が軸17を中心として回動し、ローラ11に掛かるガイド体３への押圧力が低下し、開閉体１は軽快に移動する。
【００５１】
次に、図５に基づいて開閉体案内装置の他の実施の形態を説明する。
【００５２】
この実施の形態は、前記実施の形態の開閉体案内装置記載において、ガイド体３に走行部10を制動する制動部51を設けたもので、他の構成は図１ないし図４に示す構成と同一である。
【００５３】
ガイド体３に形成した制動部51は、ガイド体３に走行体10のローラ11が係合する凹弧状の凹部にて形成され、この制動部51は検出体25の検出動作でローラ11が押し当てられる位置に設けられている。
【００５４】
この実施の形態では、制動部51は例えば、開閉体１が戸枠50に衝合して制動位置に位置したことを検出し、検出体25が検出動作で被押動後退すると、検出体25の被押動動作に連動して走行体10の保持部材12に軸支されているローラ11がガイド体３の制動部51に対して押し当てられ、ローラ11が制動部51に係合して所定位置に保持され、確実に開閉体１は制動され、開閉体１の停止位置を確実にすることができ、例えば開閉体１と戸枠50との間に隙間が生じることがない。そして、他の作用は前記実施の形態と同一である。
【００５５】
次に、図６及び図７に基づいて、引き戸案内装置２の他の実施の形態を説明する。
【００５６】
この実施の形態は、引き戸などの開閉体１には、框部の下面に造営物の開閉面に沿って配設した図示しないレールなどのガイド体に沿って移動する戸車などの走行手段が設けられ、この開閉体１の下部は移動可能に造営物に支持されている。
【００５７】
引き戸案内装置２は、開閉体１を案内するガイド体３とこの開閉体１に取り付けられたケース体４とを備え、このガイド体３は開閉面に沿って配設されている。このガイド体３は、例えば前記造営物の天板の下面に露出するように埋め込み固定されている。そして、このガイド体３は、天板から露出する下面には凹溝状の案内部52が形成され、このガイド体３の幅方向の両側には前記天板の下面に係合する係合縁７がそれぞれ形成されている。
【００５８】
また、前記ケース体４は開閉体１の框部の上面に形成した切り込み凹部８に埋め込み固定されている。この切り込み凹部８は前記開閉体１の框部の上面とは一方の端面に開口されている。また、このケース体４には上面に開口された走行体収納部９が形成されている。
【００５９】
このケース体４の走行体収納部９には走行部10を形成する走行体53が収納され、この走行体53は前記ケース体４内に軸17にて回動可能に支持されている。この走行体53は、軸17にて回動可能に支持された基体部54とこの基体部54の先端に形成され前記ガイド体３の凹溝状の案内部52に案内されて移動する円盤状の走行案内部55とが一体に形成されている。
【００６０】
また、前記ケース体４の走行体収納部９には、検出体25を進退させる支持孔26が外面から走行体収納部９に向って前記開閉体１の移動方向と同一方向に貫通形成され、この検出体25は前記支持孔26に前記開閉体１の移動方向と同一方向に進退可能に挿通される検出部35とこの検出部35を進出方向に付勢するコイル状のスプリングにて形成した弾性部材38とにて構成されている。
【００６１】
前記検出部35は内面側に前記弾性部材38の一端部を嵌挿する嵌挿孔56が形成され、また、この検出部35の内面側の外周部には前記支持孔26の内端側周囲に係合する係合鍔部40が設けられ、この検出部35は前記支持孔26の内端側周囲に係合して外方への抜け外れが阻止されるようになっている。また、前記走行体53の基体部54には前記弾性部材38の他端を係合支持する受け部57が形成されている。
【００６２】
さらに、前記ケース体４の下部には一方の端面から他方の端面に貫通した固定孔48が形成され、この固定孔48にケース体４の一方の端面から挿通した固定ねじの先端を前記開閉体１に螺合してこのケース体４をこの開閉体１に固定する。
【００６３】
次にこの実施の形態の作用を説明する。
【００６４】
まず、開閉体１の上部に突出している走行部10の走行案内部55をガイド体３の案内部52に係合する。次いで、引き戸などの開閉体１は下部の戸車を造営物の床面のガイド体に係合して移動可能に支持する。
【００６５】
次いで、開閉体１を開閉するときには、開閉体１に取り付けたケース体４に設けられている走行体53の走行案内部55がガイド体３に案内されて開閉面に沿って移動され、開閉体１が戸枠などに所定位置に達したときには、検出体25の検出部35が戸枠50に当ったことを検出して、検出部35が押動されると、この検出部35は弾性部材38の弾性力に抗して後退し、弾性部材38に掛かる押動力で走行体53が押圧され、走行体53は作動体37は軸17を中心として回動され、走行体53の走行案内部55がガイド体３に押し付けられ、走行案内部55は検出部35の被押動動作に連動してガイド体３に押し当てられて制動が掛かり、開閉体１は跳ね返ることなく所定位置に保持され、例えば開閉体１と戸枠50との間に隙間が生じることがない。
【００６６】
また、検出体25の検出部35と走行体53の基体部54とは弾性部材38を介して連動されるため、開閉体１の寸法精度及び開閉体１とガイド体３との間の寸法精度の誤差を弾性部材38の弾性変形量で吸収でき、開閉体１の組込みが容易にできる。そして、検出体25の検出部35が開閉体１の移動方向に進退可能に設けられているため、例えば、開閉体１の開閉移動で戸枠50などの開閉位置を検出部35が確実に検出し、走行体53がガイド体３に押し当てられて制動され、開閉体１は跳ね返ることなく所定位置に保持される。
【００６７】
また、開閉体１を走行体53とガイド体３との接触圧に抗して戸枠50から離反する方向に移動させる開閉操作をして、開閉体１が戸枠50から離反すると、検出体25の検出部35は弾性部材38の付勢力で進出復帰し、弾性部材38の付勢力が低下し、走行体53の重量により復帰方向に走行体53が軸17を中心として回動し、走行体53に掛かるガイド体３への押圧力が低下し、開閉体１は軽快に移動する。
【００６８】
前記実施の形態では、開閉体１の下部に戸車を設け、上部に引き戸案内装置２を設けた構成について説明したが、開閉体１の上部を吊り下げ移動可能に支持し、この開閉体１の下部に引き戸案内装置２を設けた構成とすることもでき、この構成では、走行部10が床面のガイド体３に案内されて移動する。
【００６９】
さらに、図１及び図２に示す走行部10のローラ11と図６及び図７に示す走行体53の走行案内部55にガイド体３に押し当てられる部分にゴムなどの摩擦体を取り付け制動効果を高めることができる。
【００７０】
また、ガイド体３の図１及び図２に示す案内面６または図６及び図７に示す凹溝状の案内部52において、開閉体１を制動する位置にゴムなどの摩擦体を取り付けて制動効果を高めることができる。
【００７１】
また、ケース体４の外側に固定用ケースを設け、この固定用ケース内に前記ケース体４を高さ位置調整可能に取り付け、走行部10とガイド体３との高さ方向の係合位置を調整できる。
【００７２】
また、検出体25はケース体４の上面などに設けることもできる。さらに、検出体25は戸枠に突き当った状態を検出する構成に限らず、開閉体１の制動位置に合わせて設けた他の部材に衝合するようにすることもできる。
【００７３】
また、開閉体１は引き戸について説明したが、引き戸に限られるものではなく、折り戸など各種の開閉体に適用できる。
【００７４】
【発明の効果】
請求項１に記載の発明によれば、引き戸を開閉するときには、走行部がレールなどのガイド体に案内されて開閉面に沿って移動され、引き戸が戸枠などに所定位置に達したことを検出体が検出して押動されると、この検出体の被押動動作に連動して走行部がガイド体に押し当てられて制動が掛かり、引き戸は跳ね返ることなく所定位置に保持され、例えば引き戸と戸枠との間に隙間が生じることがなく、引き戸の開閉移動時には走行部はガイド体に押し当てられることなく引き戸は軽い操作力で円滑に開閉され、走行部が軸を中心に回転してガイド体に押し当てられて制動するため、他の制動部材を必要とせず、構成部品が少なく、構成が簡単になる。
【００７５】
請求項２に記載の発明によれば、コイル状のスプリングにて弾性部材が形成され、検出体支持軸に嵌合されている。
【００７６】
請求項３に記載の発明によれば、引き戸の開閉移動時にはローラがガイド体に接触していてもガイド体との接触で回転され、引き戸は円滑に開閉移動される。
【００７７】
請求項４に記載の発明によれば、検出体が引き戸の移動方向に進退可能に設けられているため、例えば、引き戸が開閉移動で戸枠などの開閉位置を検出体が確実に検出し、走行部がガイド体に押し当てられて制動され、引き戸は跳ね返ることなく所定位置に保持される。
【００７８】
請求項５に記載の発明によれば、走行部を引き戸の厚み方向に調整して走行体とガイド体との位置合わせが容易にでき、引き戸は走行部がガイド体に案内されて円滑に開閉できる。
【００７９】
請求項６に記載の発明によれば、走行部が検出体により引き戸が制動位置に位置したことを検出して検出体の被押動動作に連動して走行部がガイド体に対して押し当てられたときに、例えば走行部が凹部などの制動部に係合することより所定位置に保持され、確実に引き戸を制動でき、引き戸の停止位置を確実にできる。
【図面の簡単な説明】
【図１】  本発明の一実施の形態を示す引き戸案内装置の分解斜視図である。
【図２】  同上縦断面図である。
【図３】  同上制動状態時の縦断面図である。
【図４】  (a)は同上正面図、(b)は同上制動状態時の縦断面図である。
【図５】  他の実施の形態を示す引き戸案内装置の制動状態時の縦断面図である。
【図６】  他の実施の形態を示す引き戸案内装置の縦断面図である。
【図７】  同上ケース体の正面図である。
【符号の説明】
１    引き戸としての開閉体
２    引き戸案内装置
３    ガイド体
４    ケース体
10    走行部
11    ローラ
12    保持部材
15 軸
25    検出体
35 検出部
36 検出体支持軸
37 作動体
38    弾性部材
41 貫通孔
43 切り欠き係合部
51    制動部
【図１】
0003774392.tif 000002
【図２】
0003774392.tif 000003
【図３】
0003774392.tif 000004
【図４】
0003774392.tif 000005
【図５】
0003774392.tif 000006
【図６】
0003774392.tif 000007
【図７】
0003774392.tif 000008